(57)【要約】 【課題】現在受信出力中の放送番組の途中において、現時点までに視聴していた当該番組の放送内容の概要を効率良く確認できるようにする。 【解決手段】ＣＰＵ1は、現在の選択チャンネルでテレビ放送されている番組内容をテレビ放送受信部８から受信して出力している状態において、その番組内から特定シーンを選択して録画しておき、当該番組途中においてそのダイジェスト出力が要求された際に、録画部１１に保存されている特定シーン（保存シーン）を読み出して再生出力する。 【選択図】  図1
2008042234.tif 000002
【特許請求の範囲】
【請求項１】
テレビ放送を受信して出力するテレビ放送視聴装置であって、
現在の選択チャンネルで放送されている番組内容を受信出力している状態においてその番組内から特定シーンを選択する選択手段と、
この選択手段によって選択された特定シーンを記録する記録手段と、
現在受信出力中の番組の放送途中においてその番組のダイジェスト出力が要求された際に、前記記録手段によって記録された特定シーンを読み出して再生出力する再生手段と、
を具備したことを特徴とするテレビ放送視聴装置。
【請求項２】
前記選択手段は、現在の選択チャンネル及び現在日時に基づいてテレビ番組表を参照して番組開始時点を特定し、この番組開始時点の放送内容を特定シーンとして選択する、
ようにしたことを特徴とする請求項1記載のテレビ放送視聴装置。
【請求項３】
前記選択手段は、番組開始時点を特定した際に、現在の選択チャンネルでコマーシャル放送中であれば、そのコマーシャル終了時点の放送内容を特定シーンとして選択する、
ようにしたことを特徴とする請求項２記載のテレビ放送視聴装置。
【請求項４】
前記選択手段は、現在の選択チャンネル及び現在日時に基づいて電子番組表を参照して番組開始時点を特定すると共に、この番組開始時点から所定時間が経過する毎にその放送内容を特定シーンとして順次選択する、
ようにしたことを特徴とする請求項1あるいは２記載のテレビ放送視聴装置。
【請求項５】
前記選択手段は、テレビ放送の受信出力中にその放送番組内から任意にユーザ指定された放送内容を特定シーンとして選択する、
ようにしたことを特徴とする請求項1あるいは２記載のテレビ放送視聴装置。
【請求項６】
テレビ放送の受信出力状態を監視する監視手段と、
この監視手段によって異常状態が検出された際に、前記番組ダイジェストの出力を要求する要求手段と、
を設け、前記再生手段は、前記異常状態の検出時に現在受信出力中の放送内容に代えて特定シーンの再生動作を開始する、
ようにしたことを特徴とする請求項1記載のテレビ放送視聴装置。
【請求項７】
前記番組ダイジェストの出力要求に応答して特定シーンを再生出力している状態において、前記監視手段によって正常状態に復帰したことが検出された際に、前記特定シーンの再生出力に代わって現在の選択チャンネルで放送中の番組内容を出力する、
ようにしたことを特徴とする請求項６記載のテレビ放送視聴装置。
【請求項８】
ユーザ操作による任意のタイミングで前記番組ダイジェストの出力を要求する要求手段を設け、
前記再生手段は、前記ユーザ操作による出力要求時に特定シーンの再生動作を開始する、
ようにしたことを特徴とする請求項1記載のテレビ放送視聴装置。
【請求項９】
前記特定シーンを再生出力する際に、その再生出力が一巡した際に、その再生を終了する、
ようにしたことを特徴とする請求項８記載のテレビ放送視聴装置。
【請求項１０】
現在の選択チャンネルでコマーシャル放送中か否かを監視する監視手段と、
この監視手段によってコマーシャル放送の開始が検出された際に、前記番組ダイジェストの出力を要求する要求手段と、
を設け、前記再生手段は、前記コマーシャル放送の開始時に特定シーンの再生動作を開始する、
ようにしたことを特徴とする請求項1記載のテレビ放送視聴装置。
【請求項１１】
前記監視手段によってコマーシャル放送の終了が検出された際に、前記特定シーンの再生出力に代わって現在の選択チャンネルで放送中の番組内容を出力する、
ようにしたことを特徴とする請求項１０記載のテレビ放送視聴装置。
【請求項１２】
テレビ放送を受信して出力するテレビ放送視聴装置であって、
現在の選択チャンネルで放送されている番組内容を受信出力している状態においてその番組に関連する関連情報を取得する取得手段と、
この取得手段によって得られた関連情報を記録する記録手段と、
現在受信出力中の番組の放送途中においてその番組に関連する情報出力が要求された際に、前記記録手段に記録されている関連情報を読み出して出力する出力手段と、
を具備したことを特徴とするテレビ放送視聴装置。
【請求項１３】
前記受信出力中の番組に関連する関連情報は、デジタルテレビ放送の映像データに重畳して順次配信される情報であり、前記取得手段は、この放送内容から当該関連情報を受信取得する、
ようにしたことを特徴とする請求項１２記載のテレビ放送視聴装置。
【請求項１４】
前記関連情報は、電子番組表内に掲載されている情報であり、前記取得手段は、現在の選択チャンネル及び現在日時に基づいて電子番組表を参照して当該関連情報を読み出し取得する、
ようにしたことを特徴とする請求項１２記載のテレビ放送視聴装置。
【請求項１５】
テレビ放送の受信出力状態を監視する監視手段と、
この監視手段によって異常状態が検出された際に、前記関連情報の出力を要求する要求手段と、
を設け、前記出力手段は、前記異常状態の検出時に現在受信出力中の放送内容に代えて関連情報の出力動作を開始する、
ようにしたことを特徴とする請求項１２記載のテレビ放送視聴装置。
【請求項１６】
チャンネル切替操作が行われた際に、新チャンネルの放送内容に切り替え出力するまでの間、前記出力手段は、関連情報を出力する、
ようにしたことを特徴とする請求項１２記載のテレビ放送視聴装置。
【請求項１７】
現在の選択チャンネルでコマーシャル放送中か否かを監視する監視手段と、
この監視手段によってコマーシャル放送の開始が検出された際に、前記関連情報の出力を要求する要求手段と、
を設け、前記出力手段は、前記コマーシャル放送の開始時に関連情報の出力動作を開始する、
ようにしたことを特徴とする請求項１２記載のテレビ放送視聴装置。
【請求項１８】
コンピュータに対して、
現在の選択チャンネルで放送されている番組内容を受信出力している状態においてその番組内から特定シーンを選択する機能と、
選択された特定シーンを記録する機能と、
現在受信出力中の番組の放送途中においてその番組のダイジェスト出力が要求された際に、前記記録された特定シーンを読み出して再生出力する機能と、
を実現させるためのプログラム。
【請求項１９】
コンピュータに対して、
現在の選択チャンネルで放送されている番組内容を受信出力している状態においてその番組に関連する関連情報を取得する機能と、
取得した関連情報を記録する機能と、
現在受信出力中の番組の放送途中においてその番組に関連する情報出力が要求された際に、前記関連情報を読み出して出力する機能と、
を実現させるためのプログラム。
【発明の詳細な説明】
【技術分野】
【０００１】
この発明は、テレビ放送を受信して出力するテレビ放送視聴装置及びプログラムに関する。
【背景技術】
【０００２】
一般に、衛星デジタルテレビ放送（ＢＳ放送、ＣＳ放送）や地上波デジタル放送では、天候などの影響を受けて一時的に電波の受信状態が悪くなることがある。また、テレビ付きの携帯端末装置においては、移動などに伴って受信環境が刻々と変化するために、受信環境によっては瞬間的に電波が途切れるなど、受信不良となることがある。
このような場合、従来では、受信不良時に所定のメッセージを表示させたり、受信不良が発生する直前の受信画像を受信不良後も継続して表示するようにした技術が知られている（特許文献１参照）。
【特許文献１】特開２００５−１０９９９１１号公報
【発明の開示】
【発明が解決しようとする課題】
【０００３】
しかしながら、上述した先行技術では、所定のメッセージを表示したり、直前受信画像を継続表示することで受信不良の発生を知ることができるが、その表示状態のまま受信状態が正常復帰するまで待つしかなかった。このことは、ＣＭ（コマーシャル）放送中であっても同様であり、ＣＭ放送が終了するまで待つしかなかった。
【０００４】
第１の発明の課題は、現在受信出力中の放送番組の途中において、現時点までに視聴していた当該番組の放送内容の概要を効率良く確認できるようにすることである。
第２の発明の課題は、現在受信出力中の放送番組の途中において、当該番組の内容を理解するうえで有効な情報を効率良く確認できるようにすることである。
【課題を解決するための手段】
【０００５】
請求項１記載の発明（第１の発明）は、テレビ放送を受信して出力するテレビ放送視聴装置であって、現在の選択チャンネルで放送されている番組内容を受信出力している状態においてその番組内から特定シーンを選択する選択手段と、この選択手段によって選択された特定シーンを記録する記録手段と、現在受信出力中の番組の放送途中においてその番組のダイジェスト出力が要求された際に、前記記録手段によって記録された特定シーンを読み出して再生出力する再生手段とを具備したことを特徴とする。
更に、コンピュータに対して、上述した請求項１記載の発明に示した主要機能を実現させるためのプログラムを提供する（請求項１８記載の発明）。
【０００６】
なお、上述した請求項１記載の発明は次のようなものであってもよい。
前記選択手段は、現在の選択チャンネル及び現在日時に基づいてテレビ番組表を参照して番組開始時点を特定し、この番組開始時点の放送内容を特定シーンとして選択する（請求項２記載の発明）。
この場合、前記選択手段は、番組開始時点を特定した際に、現在の選択チャンネルでコマーシャル放送中であれば、そのコマーシャル終了時点の放送内容を特定シーンとして選択するようにしてもよい（請求項３記載の発明）。
【０００７】
前記選択手段は、現在の選択チャンネル及び現在日時に基づいて電子番組表を参照して番組開始時点を特定すると共に、この番組開始時点から所定時間が経過する毎にその放送内容を特定シーンとして順次選択する（請求項４記載の発明）。
【０００８】
前記選択手段は、テレビ放送の受信出力中にその放送番組内から任意にユーザ指定された放送内容を特定シーンとして選択する（請求項５記載の発明）。
【０００９】
テレビ放送の受信出力状態を監視する監視手段と、この監視手段によって異常状態が検出された際に、前記番組ダイジェストの出力を要求する要求手段とを設け、前記再生手段は、前記異常状態の検出時に現在受信出力中の放送内容に代えて特定シーンの再生動作を開始する（請求項６記載の発明）。
この場合、前記番組ダイジェストの出力要求に応答して特定シーンを再生出力している状態において、前記監視手段によって正常状態に復帰したことが検出された際に、前記特定シーンの再生出力に代わって現在の選択チャンネルで放送中の番組内容を出力するようにしてもよい（請求項７記載の発明）。
【００１０】
ユーザ操作による任意のタイミングで前記番組ダイジェストの出力を要求する要求手段を設け、前記再生手段は、前記ユーザ操作による出力要求時に特定シーンの再生動作を開始する（請求項８記載の発明）。
この場合、前記特定シーンを再生出力する際に、その再生出力が一巡した際に、その再生を終了するようにしてもよい（請求項９記載の発明）。
【００１１】
現在の選択チャンネルでコマーシャル放送中か否かを監視する監視手段と、この監視手段によってコマーシャル放送の開始が検出された際に、前記番組ダイジェストの出力を要求する要求手段とを設け、前記再生手段は、前記コマーシャル放送の開始時に特定シーンの再生動作を開始する（請求項１０記載の発明）。
この場合、前記監視手段によってコマーシャル放送の終了が検出された際に、前記特定シーンの再生出力に代わって現在の選択チャンネルで放送中の番組内容を出力するようにしてもよい（請求項１１記載の発明）。
【００１２】
請求項１２記載の発明は、テレビ放送を受信して出力するテレビ放送視聴装置であって、現在の選択チャンネルで放送されている番組内容を受信出力している状態においてその番組に関連する関連情報を取得する取得手段と、この取得手段によって得られた関連情報を記録する記録手段と、現在受信出力中の番組の放送途中においてその番組に関連する情報出力が要求された際に、前記記録手段に記録されている関連情報を読み出して出力する出力手段とを具備したことを特徴とする。
更に、コンピュータに対して、上述した請求項１２記載の発明に示した主要機能を実現させるためのプログラムを提供する（請求項１９記載の発明）。
【００１３】
なお、上述した請求項１２記載の発明は次のようなものであってもよい。
前記受信出力中の番組に関連する関連情報は、デジタルテレビ放送の映像データに重畳して順次配信される情報であり、前記取得手段は、この放送内容から当該関連情報を受信取得する（請求項１３記載の発明）。
【００１４】
前記関連情報は、電子番組表内に掲載されている情報であり、前記取得手段は、現在の選択チャンネル及び現在日時に基づいて電子番組表を参照して当該関連情報を読み出し取得する（請求項１４記載の発明）。
【００１５】
テレビ放送の受信出力状態を監視する監視手段と、この監視手段によって異常状態が検出された際に、前記関連情報の出力を要求する要求手段とを設け、前記出力手段は、前記異常状態の検出時に現在受信出力中の放送内容に代えて関連情報の出力動作を開始する（請求項１５記載の発明）。
【００１６】
チャンネル切替操作が行われた際に、新チャンネルの放送内容に切り替え出力するまでの間、前記出力手段は、関連情報を出力する（請求項１６記載の発明）。
【００１７】
現在の選択チャンネルでコマーシャル放送中か否かを監視する監視手段と、この監視手段によってコマーシャル放送の開始が検出された際に、前記関連情報の出力を要求する要求手段とを設け、前記出力手段は、前記コマーシャル放送の開始時に関連情報の出力動作を開始する（請求項１７記載の発明）。
【発明の効果】
【００１８】
第１の発明は、現在受信出力中の放送番組内から特定シーンを選択して記録しておき、この番組の放送途中においてその番組のダイジェスト出力が要求された際に、特定シーンを再生出力することにより、現在受信出力中の放送番組の途中において、現時点までに視聴していた当該番組の放送内容の概要を効率良く確認することができ、例えば、受信状態悪化時、コマーシャル放送時などを利用して番組内容の簡易確認が可能となる。
【００１９】
第２の発明は、現在受信出力中の番組に関連する関連情報を記録しておき、この番組の放送途中においてその番組に関連する情報出力が要求された際に、関連情報を出力することにより、現在受信出力中の放送番組の途中において、当該番組の内容を理解するうえで有効な情報を効率良く確認することができ、例えば、受信状態悪化時、コマーシャル放送時などを利用して番組内容の簡易確認が可能となる。
【発明を実施するための最良の形態】
【００２０】
（実施例１）
以下、図１〜図５を参照して本発明の第１実施例を説明する。
この実施例は、テレビ放送視聴装置としてテレビ付きの携帯電話装置に適用した場合を例示したもので、図１は、このテレビ付き携帯電話装置の基本的な構成要素を示したブロック図である。
この携帯電話装置には、通話機能、メール機能、インターネット接続機能（Ｗｅｂアクセス機能）などのほか、デジタルテレビ放送を受信して出力するテレビ放送視聴機能、受信したテレビ放送を録画（録音を含む）する録画機能、録画されたテレビ放送を再生出力する再生機能が備えられている。
【００２１】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図３〜図５に示す動作手順に応じて本実施例を実現するためのプログラムが格納されている。記録メディア３は、着脱自在な可搬型メモリで、各種のデータ・プログラムを外部供給するもので、例えば、スマートメディア、ＩＣカードなどによって構成されている。メモリ４は、ワーク領域を有する内部メモリであり、必要に応じてメモリ４内の各種のデータは、記憶部２にセーブされる。
【００２２】
電話通信部５は、無線部を構成するアンテナに接続された送受信部（ベースバンド部）の受信側から信号を取り込んで受信ベースバンド信号に復調したのちに、スピーカ６を構成する受話スピーカから音声出力させる。また、電話通信部５は、マイク７から入力された音声データを送信ベースバンド信号に符号化したのちアンテナから発信出力させる。テレビ放送受信部（デジタル放送受信部）８は、携帯電話などの携帯受信機向けの地上波デジタルテレビ放送を受信するもので、テレビ映像及び音声情報以外にも電子番組表(ＥＰＧ)なども含めて受信可能となっており、受信したテレビ映像データ及び文字データは、表示部９から表示出力され、また、テレビ音声データは、スピーカ６を構成するサウンドスピ−カ（高音圧スピーカ）から出力される。
【００２３】
表示部９は、テレビ放送を高画質に表示可能なＬＣＤ（液晶表示装置）などであり、キー操作部１０は、ダイヤル入力、文字入力、コマンド入力などを行うもので、テレビオン／オフキー、録画開始／停止キー、再生開始／停止キーなどが設けられており、ＣＰＵ１は、キー操作部１０からのキー入力信号に応じた処理を実行する。録画部１１は、テレビ放送受信部８からの放送内容をハードディスクなどの内蔵メモリ（図示せず）又は記憶部２及び記録メディア３のデータ領域に録画するもので、ＣＰＵ１の制御下で録画開始／終了が制御される。
【００２４】
図２は、テレビ放送受信部８の構成を示したブロック図である。
テレビ放送受信部８は、テレビアンテナに接続され、ユーザ操作に応じて受信チャンネルを選局して当該局の放送信号を抽出するチューナ８１と、受信した放送信号をＯＦＤＭ（直交周波数分割多重）復調したり、多重化されている放送信号から映像、音声、データ（文字データ）に分離する多重化信号分離部８２、この多重化信号分離部８２によって分離された映像信号、音声信号、文字信号をデコードする映像信号デコーダ部８３、音声信号デコーダ部８４、文字信号デコーダ部８５を有する構成となっている。ここで、映像信号デコーダ部８３、音声信号デコーダ部８４、文字信号デコーダ部８５は、ＣＰＵ１からの制御信号に応じて個別にその動作／停止が制御される。
【００２５】
このテレビ放送受信部８を介して放送内容を受信出力している状態において、録画部１１は、ＣＰＵ1に制御下でその番組の放送内容から特定シーンをダイジェスト用のデータとして選択して逐次録画する。すなわち、当該番組の開始時点から所定時間（例えば、５秒間）の放送内容を特定シーン（スタートシーン）として選択して録画保存させたり、番組開始後にあっては５分経過する毎に所定時間（例えば、５秒間）の放送内容を特定シーン（インターバルシーン）として選択して録画保存させる。更に、ユーザ操作によって任意に指定された時点から所定時間（例えば、５秒間）の放送内容を特定シーン（ユーザ指定シーン）として選択して録画保存させたり、電話着信を検出した時点から所定時間（例えば、５秒間）の放送内容を特定シーン（着信割込発生時のシーン）として選択して録画保存させる。
【００２６】
また、現在受信出力中の番組の放送途中において、その番組のダイジェスト出力が要求された際に、ＣＰＵ1は、上述のダイジェスト用データとして録画保存されている各保存シーンを読み出して再生出力させる。この場合、ダイジェスト出力の要求は、（１）、テレビ受信不良時、（２）、ＣＭ放送時、（３）、ユーザからの指定時である。すなわち、テレビ放送受信部８によって放送電波の受信強度、ノイズの強さなどが検出されると、ＣＰＵ１は、受信状態の良否を判別し、受信不良時（受信状態悪化時）には、ダイジェスト出力が要求されたものとして、現在放送中の番組内容に代えて、録画部１１から各保存シーンを読み出して再生出力させる。
【００２７】
また、ＣＰＵ１は、現在受信出力中のチャンネルでＣＭ放送中であるか否かを判別し、ＣＭ放送中であれば、ダイジェスト出力が要求されたものとして、現在放送中の番組内容に代えて、録画部１１から各保存シーンを読み出して再生出力させる。また、ＣＰＵ１は、ユーザ操作によってダイジェスト出力が要求されたか否かを判別し、その出力要求を受けたときには、現在放送中の番組内容に代えて、録画部１１から各保存シーンを読み出して再生出力させる。
【００２８】
次にこの第１実施例における携帯電話装置の動作概念を図３〜図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２９】
図３〜図５は、電源投入に伴って実行開始される携帯電話装置の全体動作を示したフローチャートである。
先ず、ＣＰＵ１は、電話通信部５を作動させて現在位置を登録する待受処理を行うと共に（図３のステップＡ１）、所定の待受画像を読み出して表示出力させながら電話／メールの待受状態となる（ステップＡ２）。この状態において、通話／メール着信有りを検出すると、着信メロディなどを発生出力させる着信報知を行うと共に、通話あるいは受信メールの着信処理を実行する(ステップＡ３)。
【００３０】
また、待受状態において、何らかの操作が行われると（ステップＡ４でＹＥＳ）、テレビ（ＴＶ）放送視聴機能を選択して起動させるＴＶオン操作が行われたか、つまり、ＴＶ放送視聴機能が起動対象機能として選択する操作が行われたかを調べたり（ステップＡ５）、電子番組表の情報送信を要求する要求操作が行われたかを調べる（ステップＡ６）。いま、番組表の要求操作が行われた場合には、その配信元に対して番組表の送信要求を行ったのち（ステップＡ７）、番組表データをダウンロード受信する（ステップＡ８）。また、その他の操作が行われた場合には（ステップＡ６でＮＯ）、その操作に対応する処理として、例えば、電話発信処理、メール作成処理、メール送信処理などを実行したのち（ステップＡ９）、上述の待受状態に戻る。
【００３１】
ＴＶオン操作（ＴＶ機能選択操作）が行われた場合には（ステップＡ５でＹＥＳ）、図４のフローに移り、新たなチャンネルを選択指定するチャンネル操作が行われると、ＣＰＵ１は、テレビ放送受信部８に対してチャンネル切り替えを指示する（ステップＡ１０）。そして、指定チャンネル及び現在時刻に基づいて電子番組表を参照し、この指定チャンネルで現在時刻以降に放送される番組の開始時刻を取得する（ステップＡ１１）。ここで、テレビ放送受信部８において指定チャンネルの放送電波を受信して、この放送電波の受信強度、ノイズの強さなどの受信状態を検出すると、ＣＰＵ１は、その放送内容を取得すると共に（ステップＡ１２）、その受信状態の良否を判別し（ステップＡ１３）、受信状態が良好であれば（ステップＡ１３でＹＥＳ）、このテレビ放送受信部８でデコード処理された放送内容を映像出力、音声出力させる（ステップＡ１７）。
【００３２】
そして、現在の選択チャンネルでＣＭ放送中かを判別する（ステップＡ１８）。例えば、音声がモノラルからステレオに切り替わった場合あるいは音声多重から２ヶ国語放送に切り替わった場合、ＣＰＵ1は、ＣＭ放送に切り替わったと認識する。いま、ＣＭ放送中でなければ（ステップＡ１８でＮＯ）、図５のフローに移り、現在時刻と上述のステップＡ１１で取得した番組開始時刻とを比較することによって番組の開始時刻に到達したかを判別する（ステップＡ２３）。いま、開始時刻になった際には、前回視聴した番組に対応して録画部１１に録画保存されている前回の保存シーン群を不用なデータとして全て削除しておく（ステップＡ２４）。
【００３３】
そして、再度、ＣＭ放送中であるかを判別し（ステップＡ２５）、ＣＭ放送中であれば、それが終了するまで待機したのち（ステップＡ２６）、現在の選択チャンネルで放送されている番組の開始時点から所定時間（５秒間）分の放送内容を「スタートシーン」として選択し、録画部１１に録画保存させる（ステップＡ２７）。そして、図４のステップＡ１２に戻る。このように番組が開始されたのちは、５分経過する毎に（ステップＡ２８でＹＥＳ）、その時点から所定時間（５秒間）分の放送内容を「インターバルシーン」として選択し、録画部１１に録画保存させる（ステップＡ２９）。
【００３４】
また、ユーザ操作が行われた場合（ステップＡ３０でＹＥＳ）、それが保存指示操作であれば（ステップＡ３１でＹＥＳ）、保存指示された時点から所定時間（５秒間）分の放送内容を「ユーザ指定シーン」として選択し、録画部１１に録画保存させる（ステップＡ２９）。更に、電話着信の割込発生を検出したときには（ステップＡ３５でＹＥＳ）、上述の着信処理を実行するほか（ステップＡ３６）、この割込み時点から所定時間（５秒間）分の放送内容を「着信割込発生時のシーン」として選択し、録画部１１に録画保存させる（ステップＡ３７）。そして、図４のステップＡ１２に戻り、以下、上述の動作を繰り返す。
【００３５】
一方、現在の選択チャンネルでの受信状態が不良であれば（図４のステップＡ１３でＮＯ）、ダイジェスト出力が要求されたものとして、次のステップＡ１４に移り、録画部１１に保存シーンが有るかを調べる。いま、番組の開始前であれば、保存シーンは録画されていないので、ステップＡ１２に戻るが、保存シーンが有れば（ステップＡ１４でＹＥＳ）、その先頭から保存シーンを一つ読み出し（ステップＡ１５）、現在受信中の放送内容に代えて当該保存シーンを再生出力させる（ステップＡ１６）。以下、受信状態が正常回復するまで各保存シーンを順次読み出して切り替え再生させる再生動作がサイクリックに繰り返される（ステップＡ１２〜Ａ１６）。
【００３６】
また、ＣＭ放送に切り替わった場合には（図４のステップＡ１８でＹＥＳ）、ダイジェスト出力が要求されたものとして、次のステップＡ１９に移り、録画部１１に保存シーンが有るかを調べる。いま、保存シーンが無ければ、図５のフローに移るが、保存シーンが有れば、その先頭から保存シーンを一つ読み出し、現在受信中の放送内容に代えて当該保存シーンを再生出力させる（ステップＡ２０）。そして、録画部１１内の各保存シーンを全て読み出したか、つまり、再生を一巡したかを調べ（ステップＡ２１）、一巡するまで次の保存シーンを切り替え指定しながら（ステップＡ２２）、順次再生出力させる（ステップＡ２０〜Ａ２２）。ここで、各保存シーンの再生が一巡すると（ステップＡ２１でＹＥＳ）、ＣＭ放送中であるか否かに拘らず、上述のステップＡ１２に戻り、以下、上述の動作を繰り返す。
【００３７】
また、現在受信出力している番組の視聴途中においてユーザ操作が行われた場合に（図５のステップＡ３０でＹＥＳ）、それがダイジェスト出力を要求する操作であれば（ステップＡ３４でＹＥＳ）、図４のステップＡ１９に移り、録画部１１に保存シーンが有ることを条件に、各保存シーンを順次指定しながら順次再生出力させる（ステップＡ２０〜Ａ２２）。この場合、各保存シーンが一巡するまでその再生が行われる。
なお、ユーザ操作がテレビの終了操作（ＴＶオフ操作）であれば（ステップＡ３２でＹＥＳ）、図３の待受状態に戻るが、チャンネル切替操作であれば（ステップＡ３３でＹＥＳ）、図４のステップＡ１０に戻り、以下、上述の動作が繰り返される。
【００３８】
以上のように、この第１実施例においてＣＰＵ1は、現在の選択チャンネルでテレビ放送されている番組内容をテレビ放送受信部８から受信して出力している状態において、その番組内から特定シーンを選択して録画しておき、当該番組途中においてそのダイジェスト出力が要求された際に、録画部１１に保存されている特定シーン（保存シーン）を読み出して再生出力することにより、番組途中において、現時点までに視聴していた当該番組の放送内容の概要を効率良く確認することができる。この場合、現在受信中の番組内容に代えてそれ以前の番組内容の簡易確認が可能となる。
【００３９】
この場合、現在の選択チャンネル及び現在日時に基づいて電子番組表を参照して番組開始時点を特定し、この番組開始時点の放送内容をスタートシーンとして選択して録画保存することにより、番組のタイトルなどが写っているスタートシーンをダイジェスト要素に含めることができる。ここで、番組開始時点を特定する際に、ＣＭ放送中であれば、そのＣＭ終了時点の放送内容からスタートシーンを選択することにより、スタートシーンの内容はＣＭを除いたものとなる。
【００４０】
また、番組開始後にあっては所定時間（例えば５分）経過する毎にその時点の放送内容をインターバルシーンとして順次選択して録画保存することにより、部分的な録画であっても番組全体を均一に録画することができ、効果的なダイジェストを得ることができる。また、番組の視聴中にユーザ操作によって保存指示があればその時点の放送内容をユーザ指定シーンとして選択して録画保存することにより、ユーザの希望するシーンをダイジェスト要素に含めることができる。
【００４１】
ＣＰＵ１は、受信状態の良否を判別し、受信不良時には、ダイジェスト出力が要求されたものとして、現在放送中の番組内容に代えて、録画部１１から各保存シーンを読み出して再生出力させることにより、受信状態悪化時には、現在受信中の番組内容に代えて、現時点までに視聴していた番組内容の簡易確認が可能となり、受信状態が正常復帰するまでの無駄な時間を番組内容の簡易確認時間として有効に活用することができる。この場合、受信状態が正常復帰した際には、保存シーンの再生出力に代わって現在の選択チャンネルでの番組内容の出力に戻すことができる。
【００４２】
また、ユーザ操作による任意のタイミングでダイジェスト出力が要求された際には、各保存シーンを順次指定しながら順次再生出力させることにより、現時点までに視聴していた番組内容を何時でも自由に確認することができる。この場合、保存シーンを再生出力する際に、その再生出力が一巡した際に、その再生を終了することにより、保存シーンの再生直後には現在の放送出力に切り替えることができる。
【００４３】
また、番組の視聴途中において、ＣＭ放送に切り替わった場合には、各保存シーンを順次再生出力させることにより、ＣＭ中の時間を番組内容の簡易確認時間として有効に活用することができる。この場合においても各保存シーンの再生が一巡した際には、ＣＭ放送中であるか否かに拘らず、現在の放送出力に切り替えることができる。
【００４４】
なお、上述した第１実施例においては、ＴＶオン操作を所望する番組の開始が始まる前に行うことにより、番組開始時点の放送内容をスタートシーンとして選択して録画するようにしたが、番組の途中でＴＶオン操作が行われた場合には、番組開始時のスタートシーンに代わって、ＴＶオン操作が行われた際のシーンを録画するようにしてもよい。
また、放送内容から特定シーンをダイジェスト用のデータとして選択して逐次録画させる際に、映像データに限らず、音声データ、文字データを含めて録画保存した場合には、その保存シーンの再生出力には、映像と共に音声及び文字を含めて再生出力するようにしてもよい。
【００４５】
また、サッカーなどのスポーツ番組にあっては、画像解析、音声解析を行うことによってハイライトシーン（例えば、サッカーではゴールシーン）を特定し、このハイライトシーンを録画するようにしてもよい。また、電子番組表に掲載されている番組情報を参照することによってハイライトシーンを特定したり、任意のキーワードに基づいて好みのシーンを特定して録画するようにしてもよい。
【００４６】
また、上述した第１実施例においては、現在放送中の番組内容に代えて保存シーンを再生出力させたが、一つの画面を分割して現在放送中の番組内容と保存シーンを並列表示するようにしてもよい。つまり、一つの画面を主画面と副画面と分割し、主画面には保存シーンを再生出力させ、副画面には現在放送中の番組内容を表示させるようにしてもよい。
（実施例２）
【００４７】
以下、この発明の第２実施例について図６及び図７を参照して説明する。
なお、上述した第１実施例においては、現在受信出力中の番組内から特定シーンを選択して録画しておき、この番組途中でそのダイジェスト出力が要求された際に、録画保存されている保存シーンを読み出して再生出力するようにしたが、この第２実施例においては、現在受信出力中の番組に関連する関連情報（例えば、番組のタイトル、番組情報、データ情報、文字データなど）を取得して記録保存しておき、この番組途中でその番組に関連する情報出力が要求された際に、記録保存されている関連情報を読み出して再生出力するようにしたものである。
ここで、両実施例において基本的あるいは名称的に同一のものは、同一符号を付して示し、その説明を省略すると共に、以下、第２実施例の特徴部分を中心に説明するものとする。
【００４８】
図６及び図７は、第２実施例の特徴的な動作を示し、上述した図４及び図５に相当する部分のフローチャートであり、ＴＶオン操作（ＴＶ機能選択操作）が行われた際に、図４及び図５に代わって実行開始される。
先ず、ＣＰＵ１は、新たなチャンネルを選択指定するチャンネル操作が行われると、テレビ放送受信部８に対してチャンネル切り替えを指示する（図６のステップＢ１）。そして、指定チャンネル及び現在時刻に基づいて電子番組表を参照し、指定チャンネルで現在放送中の番組を特定する（ステップＢ２）。この結果、現在時刻は番組時間内か、つまり、現在放送中の番組を特定することができたかを調べる（ステップＢ３）。
【００４９】
いま、番組時間内であって現在放送中の番組を特定することができたときには、その番組に対応付けられている番組関連情報（例えば、番組のタイトル、出演者名などの番組情報）を電子番組表から取得したのち（ステップＢ４）、この番組関連情報をメモリ４のワーク域内に記録保存させる（ステップＢ５）。また、ＣＭ放送中のように一つの番組が終了して次の番組に移行するまでの間であれば（ステップＢ３でＮＯ）、上述した関連情報の取得保存処理（ステップＢ４、Ｂ５）をスキップする。ここで、テレビ放送受信部８において指定チャンネルの放送電波を受信して、この放送電波の受信強度、ノイズの強さなどの受信状態を検出すると、ＣＰＵ１は、放送内容を取得すると共に（ステップＢ６）、その受信状態の良否を判別する（ステップＢ７）。
【００５０】
その結果、現在の選択チャンネルでの受信が不良であれば（ステップＢ７でＮＯ）、番組に関連する情報出力が要求されたものとして、次のステップＢ８に移り、番組関連情報が保存されているかを調べ、番組関連情報が保存されていなければ、ステップＢ６に戻るが、番組関連情報が保存されていれば（ステップＢ８でＹＥＳ）、現在受信中の放送内容に代えて当該番組関連情報を読み出して表示部９に表示出力させる（ステップＢ９）。この場合、受信状態が正常回復するまで番組のタイトル、出演者名などの番組関連情報が継続表示される。
【００５１】
また、現在の選択チャンネルでの受信状態が良好であれば（ステップＢ７でＹＥＳ）、図７のフローに移り、受信取得した放送内容を出力させる（ステップＢ１０）。そして、この放送内容の文字データ（例えば、字幕）が変化したかを調べ（ステップＢ１１）、それが変化した際には、この文字データを番組関連情報としてメモリ４のワーク域内に保存させる（ステップＢ１２）。更に、現在受信出力している番組の視聴途中において、ＣＭ放送に切り替わったかを調べたり（ステップＢ１３）、何らかの操作が行われたかを調べる（ステップＢ１８）。いま、操作無しの場合には（ステップＢ１８でＮＯ）、図６のステップＢ６に戻る。以下、受信状態が良好であれば、現在の選択チャンネルで放送されている番組内容を受信出力しながら文字データの変化有無をチェックし、文字データが変化する毎に、その文字データを保存する動作を繰り返す。
【００５２】
現在のチャンネルでＣＭ放送に切り替わった場合には（ステップＢ１３でＹＥＳ）、番組に関連する情報出力が要求されたものとして、次のステップＢ１４に移り、文字データ（番組関連情報）が保存されているかを調べ、文字データが保存されていなければ、ステップＢ３０に移るが、文字データが保存されていれば（ステップＢ１４でＹＥＳ）、メモリ４のワーク域内に保存されている文字データをその先頭から一つ読み出し（ステップＢ１５）、現在受信中の放送内容に代えて当該文字データを表示出力させる（ステップＢ１６）。そして、文字データの表示を開始してから所定秒（例えば３０秒）が経過したか（ＣＭ放送が終了したか）を調べ（ステップＢ１６）、上記３０秒が経過するまで各文字データを順次読み出して切り替え表示させるが、上記３０秒が経過すると（ステップＢ１７でＹＥＳ）、図６のステップＢ６に戻る。
【００５３】
また、現在受信出力している番組の視聴途中において、ユーザ操作が行われた場合に（ステップＢ１８でＹＥＳ）、それがチャンネル切替操作であれば（ステップＢ１９でＹＥＳ）、テレビ放送受信部８に対してチャンネル切り替えを指示したのち、切替先チャンネル（新チャンネル）の放送内容をデコード処理させるために映像信号デコーダ部８３、音声信号デコーダ部８４、文字信号デコーダ部８５の動作を開始させる（ステップＢ２１）。そして、上述の番組関連情報が保存されていれば（ステップＢ２２でＹＥＳ）、チャンネル切替デコード処理の時間を利用するために、該番組関連情報を一定時間（例えば、1.5秒間）表示出力させる（ステップＢ２３）。そして、切替先チャンネルの放送内容に代えて、この番組関連情報を表示出力させたのちは、切替先チャンネルの放送内容を映像出力、音声出力させる（ステップＢ２４）。そして、図６のステップＢ６に戻り、以下、終了操作が行われるまで（図７のステップＢ２０でＹＥＳ）、上述の動作が繰り返される。
【００５４】
以上のように、この第２実施例においてＣＰＵ1は、現在受信出力中の番組に関連する関連情報を取得して記録保存しておき、この番組途中でその番組に関連する情報出力が要求された際に、記録保存されている関連情報を読み出して出力することにより、現在受信出力中の放送番組の途中において当該番組の内容を理解するうえで有効な情報を効率良く確認することができ。この場合、現在受信中の番組内容に代えてそれ以前の番組内容の簡易確認が可能となる。
【００５５】
ＣＰＵ１は、現在放送中の番組を特定してその番組のタイトル、出演者名などを番組関連情報として電子番組表から取得して記録保存しておき、その番組の受信状態が悪く、受信不良が検出された場合には、番組に関連する情報出力が要求されたものとして、現在放送中の番組内容に代えて、記録保存されている番組関連情報を表示させることにより、受信状態の悪化時には、番組関連情報を確認することが可能となり、受信状態が正常復帰するまでの無駄な時間を番組関連情報の確認時間として有効に活用することができる。この場合、受信状態が正常復帰した際には、番組関連情報の出力に代わって現在の選択チャンネルでの番組内容の出力に戻すことができる。
【００５６】
また、デジタルテレビ放送の映像データに重畳して順次配信されてきた文字データを順次保存しておき、番組の視聴途中において、ＣＭ放送に切り替わった場合には、番組に関連する情報出力が要求されたものとして、現在放送中の番組内容に代えて、記録保存されている文字データを表示させることにより、ＣＭ放送中の時間を文字データの確認時間として有効に活用することができる。この場合においてもＣＭ放送の終了時には、現在の放送出力に切り替えることができる。
【００５７】
また、チャンネル切替操作が行われた際に、番組に関連する情報出力が要求されたものとして、新チャンネルの放送内容に切り替え出力するまでチャンネル切替デコード処理時に番組関連情報（番組のタイトル、出演者名など）を表示させることにより、チャンネル切替デコード処理の時間を番組関連情報の確認時間として有効に活用することができる。
【００５８】
なお、上述した第２実施例においては、現在放送中の番組を特定してその番組のタイトル、出演者名などを番組関連情報として電子番組表から取得するようにしたが、番組が始まる前にその番組に関する情報を電子番組表から取得しておいてもよい。また、番組関連情報を電子番組表から取得する場合に限らず、インターネット、記録メディアを介して事前取得しておいてもよい。
【００５９】
また、デジタルテレビ放送の映像データに重畳して順次配信される文字データとして「字幕」を例に示したが、字幕に限らず、「データ情報」であってもよい。
また、上述した第２実施例においては、受信状態悪化時、ＣＭ放送時、チャンネル切替デコード処理時を情報出力の要求時としたが、情報出力の要求時はユーザ操作によって任意に指定するようにしてもよい。
【００６０】
また、上述した第２実施例においては、現在放送中の番組内容に代えて番組関連情報を表示させたが、一つの画面を分割して現在放送中の番組内容と番組関連情報を並列表示するようにしてもよい。つまり、一つの画面を主画面と副画面に分割し、主画面には番組関連情報を表示させ、副画面には現在放送中の番組内容を表示させるようにしてもよい。
【００６１】
その他、上述した第1及び第２実施例においては、テレビ付きの携帯電話装置に適用した場合を示したが、携帯電話装置に限らず、例えば、テレビ付きのＰＤＡ・電子カメラ・電子腕時計・音楽再生機などの携帯端末装置であっても同様に適用可能である。また、携帯端末装置に限らず、固定式テレビ放送受信機（テレビ放送視聴装置）に適用可能であることは、勿論である。
【図面の簡単な説明】
【００６２】
【図１】テレビ放送視聴装置として適用したテレビ付き携帯電話装置の基本的な構成要素を示したブロック図。
【図２】テレビ放送受信部８の構成を示したブロック図。
【図３】電源投入に伴って実行開始される携帯電話装置の全体動作を示したフローチャート。
【図４】図３に続く、フローチャート。
【図５】図４に続く、フローチャート。
【図６】第２実施例における特徴的な動作を示し、ＴＶオン操作（ＴＶ機能選択操作）が行われた際に実行開始されるフローチャート。
【図７】図６に続く、フローチャート。
【符号の説明】
【００６３】
１  ＣＰＵ
２  記憶部
５  電話通信部
６  スピーカ
８  テレビ放送受信部
９  表示部
１０  キー操作部
１１  録画部
８１  チューナ
８２  多重化信号分離部
８３  映像信号デコーダ部
８４  音声信号デコーダ部
８５  文字信号デコーダ部
【図１】
2008042234.tif 000003
【図２】
2008042234.tif 000004
【図３】
2008042234.tif 000005
【図４】
2008042234.tif 000006
【図５】
2008042234.tif 000007
【図６】
2008042234.tif 000008
【図７】
2008042234.tif 000009